(57)【要約】携帯電話機のような通信手段による利用のために、電気回路に存在する電子バウチャー及び／又は電子バウチャーを用いて受信した電子コンテンツを、コンテンツ・プロバイダ又はサービス・プロバイダから回復するための方法及びシステムであって、通信手段のユーザとコンテンツ・プロバイダ又はサービス・プロバイダとの間で識別信号を交換し、それに続いて、ユーザにより指定された電子バウチャー及び／又は電子コンテンツを、交換された電気回路に転送することにより、少なくとも前記電気回路の交換を行う方法及びシステムが提供される。
2006526341.tif 000002
【特許請求の範囲】
【請求項１】
携帯電話機（３）のような通信手段において利用されるための、電気回路（２）に存在する電子バウチャー及び／又は電子バウチャーを用いて受信された電子コンテンツを、コンテンツ・プロバイダ又はサービス・プロバイダから回復する方法であって、前記通信手段のユーザとコンテンツ・プロバイダ又はサービス・プロバイダとの間で識別信号（９）を交換し、それに続いて、前記ユーザにより指定された前記電子バウチャー及び／又は電子コンテンツを他の電気回路（２’）に転送することにより、少なくとも前記電気回路（２）が前記他の電気回路（２’）によって置き換えられる方法。
【請求項２】
請求項１記載の方法であって、前記電気回路（２）が、ＳＩＭカード（１）に存在する方法。
【請求項３】
請求項１又は２記載の方法であって、前記電子バウチャー及び／又は電子コンテンツに関する情報がサーバ（５）に保持される方法。
【請求項４】
請求項３記載の方法であって、前記識別信号（９）が、前記サーバ（５）により調べられる方法。
【請求項５】
請求項３又は４記載の方法であって、前記サーバ（５）が、電子支払いを処理することができる方法。
【請求項６】
請求項３〜５のいずれか１つに記載の方法であって、前記サーバ（５）が、識別及び認証を処理することができる方法。
【請求項７】
請求項１〜６のいずれか１つに記載の方法であって、前記識別信号（９）が電気信号である方法。
【請求項８】
請求項１〜７のいずれか１つに記載の方法であって、前記識別信号（９）が音声信号である方法。
【請求項９】
請求項１〜８のいずれか１つに記載の方法であって、前記識別信号（９）が前記コンテンツ・プロバイダ又はサービス・プロバイダから前記通信手段のユーザに送信される方法。
【請求項１０】
請求項１〜９のいずれか１つに記載の方法であって、前記識別番号（９）が、前記通信手段のユーザから前記コンテンツ・プロバイダ又はサービス・プロバイダに送信され、且つ、前記コンテンツ・プロバイダ又はサービス・プロバイダから前記通信手段のユーザに送信される方法。
【請求項１１】
請求項１〜１０のいずれか１つに記載の方法であって、回復可能な電子バウチャー及び／又は電子コンテンツのリストが、指定のために前記通信手段に提示される方法。
【請求項１２】
請求項１〜１０のいずれか１つに記載の方法であって、回復可能な電子バウチャー及び／又は電子コンテンツのリストが、指定のためにインターネットに提示される方法。
【請求項１３】
請求項１１又は１２記載の方法であって、回復のための電子バウチャー及び／又は電子コンテンツの前記指定が、もう１つの識別信号を含む方法。
【請求項１４】
携帯電話機（３）のような通信手段において利用されるための、電気回路（２）に存在する電子バウチャー及び／又は電子バウチャーを用いて受信された電子コンテンツを、コンテンツ・プロバイダ又はサービス・プロバイダから回復して、少なくとも前記電気回路（２）を他の電気回路（２’）によって置き換えるためのシステムであって、
前記通信手段のユーザと前記コンテンツ・プロバイダ又はサービス・プロバイダとの間で識別信号を交換する手段と、
前記ユーザにより指定された前記電子バウチャー及び／又は電子コンテンツを前記電気回路（２’）に転送する手段と、
を備えるシステム。
【請求項１５】
請求項１４記載のシステムであって、前記電気回路（２）がＳＩＭカード（１）に存在するシステム。
【請求項１６】
請求項１４又は１５に記載のシステムであって、前記電子バウチャー及び／又は前記電子コンテンツに関する情報がサーバ（５）に保持されるシステム。
【請求項１７】
請求項１６記載のシステムであって、前記識別信号（９）がサーバ（５）により調べられるシステム。
【請求項１８】
請求項１６又は１７記載のシステムであって、前記サーバ（５）が、電子支払いを処理することができるシステム。
【請求項１９】
請求項１６〜１８のいずれか１つの記載のシステムであって、前記サーバ（５）が識別及び認証を処理することができるシステム。
【請求項２０】
請求項１４〜１９のいずれか１つに記載のシステムであって、前記識別信号（９）が電気信号であるシステム。
【請求項２１】
請求項１４〜２０のいずれか１つに記載のシステムであって、前記識別信号（９）が音声信号であるシステム。
【請求項２２】
請求項１４〜２１のいずれか１つに記載のシステムであって、前記識別信号（９）が、前記コンテンツ・プロバイダ又はサービス・プロバイダから前記通信手段のユーザに送信されるシステム。
【請求項２３】
請求項１４〜２２のいずれか１つに記載のシステムであって、前記識別信号（９）が、前記通信手段のユーザから前記コンテンツ・プロバイダ又はサービス・プロバイダに送信され、且つ、前記コンテンツ・プロバイダ又はサービス・プロバイダから前記通信手段のユーザに送信されるシステム。
【請求項２４】
請求項１４〜２３のいずれか１つに記載のシステムであって、回復可能な電子バウチャー及び／又は電子コンテンツのリストが、指定のために前記通信手段に提示されるシステム。
【請求項２５】
請求項１４〜２３のいずれか１つに記載のシステムであって、回復可能な電子バウチャー及び／又は電子コンテンツのリストが、指定のためにインターネットに提示されるシステム。
【請求項２６】
請求項２４又は２５のいずれかに記載のシステムであって、回復のための電子バウチャー及び／又は電子コンテンツの前記指定が、もう１つの識別信号を含むシステム。
【発明の詳細な説明】
【技術分野】
【０００１】
発明の分野
本発明は、携帯電話機のような通信手段で利用されるための、電気回路に存在する電子バウチャー及び電子バウチャーを用いて受信した電子コンテンツを、コンテンツ・プロバイダ又はサービス・プロバイダから回復するための方法及びシステムに関する。
【０００２】
発明の背景
バウチャーは、購入した商品又はサービス、商品又はサービスに与えられるべき割引、提供されるべきサービス、支払った預け金などを表す方法として、広く利用されている。
【０００３】
国際特許出願第ＷＯ００／３００４５号は、電子支払取引の結果としてバウチャーを提供する方法を記載する。この方法によれば、バウチャーは、例えばＳＩＭカードや携帯電話機において、電子的にも表現されることができる。電子バウチャーは、中央の照合装置に対し、通信手段を介して提示され得る。電子バウチャーの有効性が認められると、ユーザは、電子バウチャーを用いて利用可能とされたコンテンツをダウンロードし、又はサービスを利用することができる。
【０００４】
電子バウチャーは紛失されることがある。電子バウチャーは、また、それらが入っている媒体とともに、盗まれることもある。例えば、バウチャーが入っているＳＩＭカード、又はＳＩＭカードを含む携帯電話機全体が盗まれることがあり得る。電子バウチャーは、また、媒体上で、又は電子バウチャーが入っている媒体とともに、破壊又は損傷されることがあり得る。電子バウチャーが紛失又は損傷された場合、ユーザは、もはや、バウチャーによって表されるサービスを入手したり、預り金を回収したりすることができない。国際特許出願第ＷＯ００／３００４５号の方法は、この不利益を克服する解決策を提供しない。
【０００５】
電子バウチャーを用いて受信された電子コンテンツについても、同様の問題が発生する。コンテンツ及び／又はコンテンツが入っている媒体が紛失した場合にも、媒体を交換した後に、この電子コンテンツを再び入手可能にすることが望ましい。
【０００６】
発明の目的
本発明の課題は、従来技術の欠点を除去し、電子バウチャー、又は通信手段を介して電子バウチャーを用いて受信された電子コンテンツを、コンテンツ・プロバイダ又はサービス・プロバイダから回復する方法及びシステムを提供することである。
【０００７】
発明の概要
本発明によれば、通信手段のユーザとコンテンツ・プロバイダ又はサービス・プロバイダとの間で識別信号を交換し、それに続いて、ユーザによって指定された電子バウチャー及び／又は電子コンテンツを電気回路に転送することにより、少なくとも電気回路が他の電気回路によって置き換えられる、携帯電話機のような通信手段における利用のための、電気回路に存在する電子バウチャー及び／又は電子バウチャーを用いて受信された電子コンテンツを、コンテンツ・プロバイダ又はサービス・プロバイダから回復する方法が開示される。
【０００８】
本発明の第１の態様において、電子バウチャー、又は電子バウチャーを用いて受信された電子コンテンツの回復のための回復方法が開示される。電子バウチャー又は電子コンテンツは、受信された後に、携帯電話機のような通信手段に存在する電気回路（例えば、加入者識別モジュール（ＳＩＭ）上の電気回路）に記憶される。電気回路が通信手段のユーザにとって（例えば、損傷、紛失又は盗難のために）既に利用可能ではない場合、ユーザは、電子バウチャー及び／又はより早い段階に受信した電子コンテンツを再び利用可能にしたいと望む。前記データ及び情報を回復する機会を持つことは、通信手段のユーザにとってメリットになり得る。言い換えれば、ユーザは、電子バウチャーの利用について、より大きな信頼性を持つことになる。
【０００９】
本発明の方法の１つのステップにおいて、ユーザとコンテンツ・プロバイダ又はサービス・プロバイダとの間で識別信号が交換される。識別信号に関する制限はない。識別信号は、電気信号であってもよいが、任意の他の種別の信号であってもよい。識別信号を介して、コンテンツ・プロバイダ又はサービス・プロバイダは、ユーザの識別に関する情報を受け取り得る。しかし、識別信号は、また、例えば製造番号のような通信手段に関する情報を含んでも良い。識別信号は、また、電子バウチャー又は以前にユーザにより受信された電子コンテンツの性質（種別、時間など）に関する情報を含んでもよい。更に、識別信号は、また、住所又は選択肢のような手続関連情報を含んでも良い。
【００１０】
本発明の方法のもう１つのステップにおいて、識別信号が調べられ、調べた結果に依存して、１つ又は複数の電子バウチャー及び／又は以前にユーザにより受信された電子コンテンツの概要を含むリストがユーザに送信される。この方法の利点は、ユーザが１つ又は複数の電子バウチャー、及び以前受信した電子コンテンツに関する詳細の全てを知る必要がないことである。ユーザは、これらの詳細を、コンテンツ・プロバイダ又はサービス・プロバイダから受信したリストにおいて見出すことができる。
【００１１】
本方法のもう１つのステップにおいて、電子バウチャー又は電子コンテンツがリストからユーザによって選択され、その後、該選択が、コンテンツ・プロバイダ又はサービス・プロバイダに送信される。ユーザとコンテンツ・プロバイダ又はサービス・プロバイダとの間で選択を通信するために利用される手段及び方法については、制限がない。言い換えれば、ユーザと、コンテンツ・プロバイダ又はサービス・プロバイダとにとって、最も望ましい通信方法が利用され得る。受信された選択に基づいて、コンテンツ・プロバイダ又はサービス・プロバイダは、１つ又は複数の電子バウチャー及び／又は電子コンテンツをユーザに送信する。受信された１つ又は複数の電子バウチャー及び／又は電子コンテンツは、もう利用不可能になった電気回路と置き換えられた電気回路に記憶される。
【００１２】
本発明の上記の態様、及び付随する利点の多くは、添付の図面と組み合わせて以下の詳細な説明を参照することにより、より良く理解される。
例としての実施の形態
本発明の教示のために、本発明に係る方法及び装置の好ましい実施の形態を、以下に説明する。本発明の真の趣旨を逸脱することなく、最終的に特許される添付の特許請求の範囲によってのみ限定される本発明の範囲を実行するために、本発明の他の代わりの及び均等な実施の形態が考えられ、変更され得ることが、当業者にとって明らかである。
【００１３】
図１は、ＳＩＭカード１を概略的に示す。ＳＩＭ（加入者識別モジュール）は、携帯電話機において、加入者又はユーザを識別するために利用される。ＳＩＭカードは、携帯電話機内に配置され得る。ＳＩＭカード１には、１つ又はそれ以上の電子バウチャー及び／又は電子コンテンツを含むデータを記憶することができる電気回路２が存在する。電気回路は必ずしもＳＩＭカードに存在しなくてもよいことが明らかであり得る。電気回路は、代わりに又は加えて、携帯電話機のような通信手段の任意の他の部分に存在してもよい。電子バウチャーは、例えば、購入された商品又はサービス、商品又はサービスに与えられるべき割引、提供されるべきサービス、支払った預け金を表す。電子コンテンツは、携帯電話機で利用されるためのデータ及び／又はプログラムを含む。
【００１４】
ユーザは、紛失、損傷、盗難等のために携帯電話機を交換する必要がある場合、交換前に携帯電話機に蓄積されていた１つ又は複数の電子バウチャー及び／又はコンテンツが再び利用可能になることを望む。
【００１５】
図２を参照して、電子バウチャー及び／又は電子コンテンツは、本発明によれば、紛失、損傷、盗難等のために交換された携帯電話機３によって回復され得る。携帯電話機３は、携帯電話プロバイダのドメイン７の一部である移動体ネットワーク４に接続される。コンテンツ・プロバイダ又はサービス・プロバイダのドメイン８は、電子バウチャーの正当性を確認することができるサーバ５を備える。サーバ５は、また、電子支払いを処理することができる。サーバ５の更に他の可能性のある機能には、識別及び認証が含まれる。サーバ５は、ユーザに関する情報、電子バウチャーに関する情報、並びに、ユーザによって購入された又はユーザに配信されるべきコンテンツ、サービス又は商品に関する情報を記憶するための記憶手段６に接続される。
【００１６】
本発明に係るシステム及び方法は、ユーザとコンテンツ・プロバイダ又はサービス・プロバイダとの間で、識別信号９を交換する。識別信号９は、「０」及び「１」の連続である電気信号であり得る。識別信号９は、また、書き込まれた又は他の方法で表現された音声信号又は情報であっても良い。識別信号９は、ドメイン７において、携帯電話機３とドメイン８のサーバ５との間で、ネットワーク４を介して送信され得る。しかし、識別信号は、また、ユーザとコンテンツ・プロバイダ又はサービス・プロバイダとの間で、例えば郵送サービスのような任意の方法で送信されてもよい。識別信号９は、また、双方向に、即ち、ユーザからコンテンツ・プロバイダ又はサービス・プロバイダへ、及びその逆に送信されてもよい。
【００１７】
本発明によれば、紛失、損傷、盗難等のためにユーザが携帯電話機を交換した場合、ユーザとコンテンツ・プロバイダ又はサービス・プロバイダとの間で識別信号９の交換が行われる。識別信号は、ユーザに関する情報、及び／又は携帯電話機３に関する情報を含み得る。
【００１８】
本発明の実施の形態において、サーバ５は、識別信号９を調べる。識別信号を調べた後、コンテンツ・プロバイダ又はサービス・プロバイダは、ユーザにより受信された電子バウチャー、及び／又は交換前にユーザによりダウンロードされたコンテンツの概要を含むリストを送信する。リストは、携帯電話機においてユーザに提示され得るが、インターネットのような他の媒体を介して提示されても良い。更なる情報がリストに追加されてもよい。
【００１９】
ユーザは、コンテンツ及び／又は電子バウチャーを表す１つ又はそれ以上のエントリをリストから選択することができる。選択は、コンテンツ・プロバイダ又はサービス・プロバイダに送信される。選択に加えて、図２には示されないもう１つの識別信号が、コンテンツ・プロバイダ又はサービス・プロバイダに送信されてもよい。
【００２０】
ユーザからの選択を受け取った後で、コンテンツ・プロバイダ又はサービス・プロバイダは、１つ又はそれ以上の電子バウチャー及び／又はコンテンツをユーザの携帯電話機３に送信する。携帯電話機３には、電気回路（２）と置き換えられた電気回路（２’）が存在する。受信されたバウチャー及び／又はコンテンツは、電気回路（２’）に記憶される。コンテンツ・プロバイダ又はサービス・プロバイダにより、紛失、損傷、盗難等のためにもはやユーザが利用することができない携帯電話機に存在する電子バウチャー及び／又はコンテンツの利用を防ぐ手段が講じられる。
【図面の簡単な説明】
【００２１】
【図１】図１は、電子バウチャー及び／又は電子コンテンツを収容可能な電気回路を備えるＳＩＭカードの概略図である。
【図２】図２は、本発明の実施の形態の概略図である。
【図１】
2006526341.tif 000003
【図２】
2006526341.tif 000004
【国際調査報告】
2006526341.tif 000005
2006526341.tif 000006
2006526341.tif 000007